(57)【要約】【課題】灰皿本体に着火可能にライターを保持させるもライターが灰皿本体から突き出ず、しかも着火時の保持性が良好な携帯用灰皿を提供する。【解決手段】隔壁７Ｅにより灰皿部２とライター収納部３とに区画して上部に開口した本体ケース１と、本体ケース１の灰皿部２の開口部６を開閉可能に本体ケース１にヒンジ結合されたキャップ５とを備え、本体ケース１のライター収納部３の開口は、隔壁７Ｅに対面する隅部を切欠いて構成する一方、隔壁７Ｅのライター収納部３側の壁面には、ライター９に接触する上下方向リブ１２を壁面から起立させて配置し、ライター９頭部の火口カバー９Ａを隔壁７Ｅに臨ませる一方、その着火レバー９Ｂを前記切欠きに臨ませて、ライター収納部３にライター９を収納可能であり、収納時に前記上下方向リブ１２により隔壁７Ｅからライター９の火口カバー９Ａを離間させる。【選択図】　　図１
0003097168.tif 000002
【実用新案登録請求の範囲】
【請求項１】
隔壁により灰皿部とライター収納部とに区画して上部に開口した本体ケースと、本体ケースの灰皿部の開口部を開閉可能に本体ケースにヒンジ結合されたキャップとを備え、
本体ケースのライター収納部の開口は、隔壁に対面する隅部を切欠いて構成する一方、隔壁のライター収納部側の壁面には、ライター本体に接触する上下方向リブを壁面から起立させて配置し、
ライター頭部の火口カバーを隔壁に臨ませる一方、その着火レバーを前記切欠きに臨ませて、ライター収納部にライターを収納可能であり、収納時に前記上下方向リブにより隔壁からライターの火口カバーを離間させることを特徴とする携帯用灰皿。
【請求項２】
隔壁により灰皿部とライター収納部とに区画して上部に開口した本体ケースと、本体ケースの灰皿部の開口部を開閉可能に本体ケースにヒンジ結合されたキャップとを備え、
前記ライター収納部には、ライター頭部の火口カバーを隔壁に臨ませ且つその着火レバーを露出させて、ライターを収納可能であり、
前記ライター収納部を構成する本体ケースの底部に、ライター収納部側に窪んだ凹部を設けると共にこの凹部にライター収納部内と連なる穴を設けたことを特徴とする携帯用灰皿。
【請求項３】
前記灰皿部は、隔壁と平行に底部から灰皿部の中途部まで起立させて複数の隔壁リブを配置して灰皿下部に喫煙後のタバコの先端を挿入する柱状空間に形成する一方、隔壁リブの上方に灰落とし空間を形成し、
前記灰落とし空間には、本体ケースの両壁面を覆い開口部から若干突出する一対の金属プレートおよび両金属プレート同士を連結する隔壁リブ上端に沿う隔壁リブと同等の幅の金属プレートよりなる保護金具を配置したことを特徴とする請求項１または請求項２に記載の携帯用灰皿。
【請求項４】
前記保護金具の本体ケースの両壁面に覆う金属プレートは、その両端が隔壁および隔壁に対向する壁面に設けた溝に挿入され、金属プレート両端に設けた爪が前記溝の壁面に係合して金属プレートは抜け止めされていることを特徴とする請求項３に記載の携帯用灰皿。
【請求項５】
前記灰落とし空間の開口部は、外周側から段付きを持って薄く形成され、前記キャップの開口部は、内周側から段付きを持って薄く形成され、キャップにより灰落とし空間の開口部を閉じた状態では、灰落とし空間の開口部の段付き部にキャップの薄く形成された先端が当接する一方、灰落とし空間の開口部の薄く形成された先端にキャップの開口部の段付き部が当接し、しかも両開口部の薄く形成された部分同士が重なり合うことを特徴とする請求項３または請求項４に記載した携帯用灰皿。
【請求項６】
前記キャップは、底部から枠状に起立したフレームを一体に備えることを特徴とする請求項１ないし請求項５のいずれか一つに記載の携帯用灰皿。
【請求項７】
前記キャップは、外周の対向する表面に複数の半面ボスを設けたことを特徴とする請求項１ないし請求項６のいずれか一つに記載の携帯用灰皿。
【請求項８】
前記ライター収納部は、底部から起立したリブと、隔壁に隣接する両側壁に設けた上下方向のリブとを備え、収納されるライターは、隔壁と対向する壁面に接触され、上記各リブの先端に接触し、他の内壁面から浮かして保持されることを特徴とする請求項１または請求項２に記載した携帯用灰皿。
【請求項９】
前記本体ケースのライター収納部の側面には、孔付きのボスを備えることを特徴とする請求項１ないし請求項７のいずれか一つに記載の携帯用灰皿。
【考案の詳細な説明】
【０００１】
【考案の属する技術分野】
本考案は、携帯用の灰皿に関し、詳しくはライターの保持部を備えた携帯用の灰皿に関する。
【０００２】
【従来の技術】
従来から、路上の喫煙による吸殻を路上に捨てることによる自然の破壊や街の美観を損ねることを防ぐため、喫煙時のタバコの灰を収容可能であり、且つ、タバコの火を消化可能であり、しかも、消化後の吸殻を収納できる携帯可能な灰皿が知られている（特許文献１、２参照）。
【０００３】
特許文献１の携帯用灰皿は、開閉蓋を有する灰皿部と壁面を隔ててその下部若しくは側部にライターを保持する保持部を一体に設け、その保持部は長手方向の長さが少なくともライターの全長と同等もしくはそれ以上の長さを備え、ライターを「がたつき」なく保持し、ライターを使用する際には、保持部の長手方向の何れの端部からも取出し、使用後に挿入可能としている。
【０００４】
また、特許文献２の携帯用灰皿は、灰皿本体に大きさの異なる種々のライターを保持可能なホルダーを備え、灰皿はタバコの火を消す部分、火の付いたタバコを保持する部分、および、灰や吸殻を捨てる部分に分けられている。
【０００５】
【特許文献１】
登録実用新案第３０６３３０３号
【特許文献２】
実開平０７−００００９７号公報
【０００６】
【考案が解決しようとする課題】
しかしながら、特許文献１の携帯用灰皿では、タバコへの着火時にライターを灰皿本体から取出して点火するものであるため、喫煙の都度、分離した灰皿本体を持ちながらライターを保持・点火し、タバコに着火させる必要があり、その取り扱いが面倒である不具合があった。
【０００７】
また、特許文献２の携帯用灰皿では、灰皿本体に保持状態のまま着火可能となるようにその火口を露出させてライターを保持するものであるため、上記不具合が若干緩和されるものであるが、保持したライターが火口を先端として灰皿本体から大きく突出する形状であるため、ポケット等に収容するときポケット内の他の収容物と干渉する不具合があり、また、灰皿本体の底部は扁平となっているため、ライター着火時の保持性が良好でない不具合があった。
【０００８】
そこで本考案は、上記問題点に鑑みてなされたもので、灰皿本体に着火可能にライターを保持させるもライターが灰皿本体から突き出ず、しかも着火時の保持性が良好な携帯用灰皿を提供することを目的とする。
【０００９】
【課題を解決するための手段】
第１の考案は、隔壁により灰皿部とライター収納部とに区画して上部に開口した本体ケースと、本体ケースの灰皿部の開口部を開閉可能に本体ケースにヒンジ結合されたキャップとを備え、本体ケースのライター収納部の開口は、隔壁に対面する隅部を切欠いて構成する一方、隔壁のライター収納部側の壁面には、ライター本体に接触する上下方向リブを壁面から起立させて配置し、ライター頭部の火口カバーを隔壁に臨ませる一方、その着火レバーを前記切欠きに臨ませて、ライター収納部にライターを収納可能であり、収納時に前記上下方向リブにより隔壁からライターの火口カバーを離間させることを特徴としている。
【００１０】
第２の考案は、隔壁により灰皿部とライター収納部とに区画して上部に開口した本体ケースと、本体ケースの灰皿部の開口部を開閉可能に本体ケースにヒンジ結合されたキャップとを備え、前記ライター収納部には、ライター頭部の火口カバーを隔壁に臨ませ且つその着火レバーを露出させて、ライターを収納可能であり、前記ライター収納部を構成する本体ケースの底部に、ライター収納部側に窪んだ凹部を設けると共にこの凹部にライター収納部内と連なる穴を設けたことを特徴としている。
【００１１】
第３の考案は、第１または第２の考案において、灰皿部を、隔壁と平行に底部から灰皿部の中途部まで起立させて複数の隔壁リブを配置して灰皿下部に喫煙後のタバコの先端を挿入する柱状空間に形成する一方、隔壁リブの上方に灰落とし空間を形成し、前記灰落とし空間には、本体ケースの両壁面を覆い開口部から若干突出する一対の金属プレートおよび両金属プレート同士を連結する隔壁リブ上端に沿う隔壁リブと同等の幅の金属プレートよりなる保護金具を配置したことを特徴としている。
【００１２】
第４の考案は、第３の考案において、保護金具の本体ケースの両壁面に覆う金属プレートは、その両端が隔壁および隔壁に対向する壁面に設けた溝に挿入され、金属プレート両端に設けた爪が前記溝の壁面に係合して金属プレートは抜け止めされていることを特徴としている。
【００１３】
第５の考案は、第３または第４の考案において、灰落とし空間の開口部は、外周側から段付きを持って薄く形成され、前記キャップの開口部は、内周側から段付きを持って薄く形成され、キャップにより灰落とし空間の開口部を閉じた状態では、灰落とし空間の開口部の段付き部にキャップの薄く形成された先端が当接する一方、灰落とし空間の開口部の薄く形成された先端にキャップの開口部の段付き部が当接し、しかも両開口部の薄く形成された部分同士が重なり合うようにした。
【００１４】
第６の考案は、第１ないし第５の考案において、キャップは、底部から枠状に起立したフレームを一体に備えるようにした。
【００１５】
第７の考案は、第１ないし第６の考案において、キャップは、外周の対向する表面に複数の半面ボスを設けた。
【００１６】
第８の考案は、第１または第２の考案において、ライター収納部は、底部から起立したリブと、隔壁に隣接する両側壁に設けた上下方向のリブとを備え、収納されるライターは、隔壁と対向する壁面に接触され、上記各リブの先端に接触し、他の内壁面から浮かして保持されるようにした。
【００１７】
第９の考案は、第１ないし第８の考案において、本体ケースのライター収納部の側面には、孔付きのボスを備える。
【００１８】
【考案の効果】
したがって、第１の考案では、本体ケースのライター収納部の開口を、隔壁に対面する隅部を切欠いて構成する一方、隔壁のライター収納部側の壁面には、ライター本体に接触する上下方向リブを壁面から起立させて配置し、ライター頭部の火口カバーを隔壁に臨ませる一方、その着火レバーを前記切欠きに臨ませて、ライター収納部にライターを収納可能であり、収納時に前記上下方向リブにより隔壁からライターの火口カバーを離間させた。このため、ライターと吸殻入れである灰皿部とが一体となり、ライターを取出すことなく着火レバーによりライターに着火でき、着火時にライター火元の金属製の火口カバーが隔壁に接触しないので耐熱性が向上できる。
【００１９】
第２の考案では、ライター収納部には、ライター頭部の火口カバーを隔壁に臨ませ且つその着火レバーを露出させて、ライターを収納可能であり、前記ライター収納部を構成する本体ケースの底部に、ライター収納部側に窪んだ凹部を設けると共にこの凹部にライター収納部内と連なる穴を設けた。このため、収納したライターの着火レバーに親指を引っ掛けての着火操作時に、残りの指のいずれかを凹部に入り込ませてすべり止め機能を発揮させて本体ケースを保持することができ、着火操作性が向上する。また、凹部に設けた穴はライター収容部に収容したライターの底部に臨んでいるため、身の回りにある適当な棒状物で収納したライターをライター収納部から押し出すことができ、ライター頭部の着火機能部を強く引っ張ってライターを取出す場合に比較して、ライターの着火機能部を痛めることがない。
【００２０】
第３の考案では、第１または第２の考案の効果に加えて、灰皿部を、隔壁と平行に底部から灰皿部の中途部まで起立させて複数の隔壁リブを配置して灰皿下部に喫煙後のタバコの先端を挿入する柱状空間に形成する一方、隔壁リブの上方に灰落とし空間を形成し、前記灰落とし空間には、本体ケースの両壁面を覆い開口部から若干突出する一対の金属プレートおよび両金属プレート同士を連結する隔壁リブ上端に沿う隔壁リブと同等の幅の金属プレートよりなる保護金具を配置した。このため、喫煙中のタバコの先端を灰落とし空間に挿入してその灰を柱状空間に落とすことができ、その際に火の付いているタバコ先端が灰落とし空間の壁面や隔壁リブに直接接触することがなく、樹脂で形成している本体ケースの耐熱性を向上できる。なお、喫煙後のタバコは、火の付いている状態の先端を柱状空間に挿入することにより、タバコの残り軸が柱状空間の内外を遮断し、タバコの先端の火を消火できる。
【００２１】
第４の考案では、第３の考案の効果に加えて、保護金具の本体ケースの両壁面に覆う金属プレートの両端が隔壁および隔壁に対向する壁面に設けた溝に挿入され、金属プレート両端に設けた爪が前記溝の壁面に係合して金属プレートは抜け止めされているため、金属プレートが灰落とし空間の壁面に一体化して抜け止めされる。
【００２２】
第５の考案では、第３または第４の考案の効果に加えて、灰落とし空間の開口部は、外周側から段付きを持って薄く形成され、前記キャップの開口部は、内周側から段付きを持って薄く形成され、キャップにより灰落とし空間の開口部を閉じた状態では、灰落とし空間の開口部の段付き部にキャップの薄く形成された先端が当接する一方、灰落とし空間の開口部の薄く形成された先端にキャップの開口部の段付き部が当接し、しかも両開口部の薄く形成された部分同士が重なり合うようにした。このため、キャップを閉じた状態では、二箇所の当接部と薄く形成された部分同士の重なり合いとがクランク状をなして灰落とし空間の密閉性を高め、外気と確実に遮断でき、灰皿部から灰が外部に洩れ出しを遮断し、内部に収蔵された喫煙後のタバコの火が残っていても確実に消火できる。
【００２３】
第６の考案では、第１ないし第５の考案の効果に加えて、キャップは底部から枠状に起立したフレームを一体に備えるため、単体で変形しにくく、また、開いた状態での破損が防止でき、本体ケースに閉じた状態で係合させるロック機構の繰り返し使用の耐久性を高め、さらに、灰落とし空間の開口部との密閉性を高める。
【００２４】
第７の考案では、第１ないし第６の考案の効果に加えて、キャップは外周の対向する表面に複数の半面ボスを設けたため、複数の半面ボスは滑り止めの機能を発揮し、キャップを開く時にキャップを挟む指が滑らずに、スムーズに開くことができる。
【００２５】
第８の考案では、第１または第２の考案の効果に加えて、ライター収納部は、底部から起立したリブと、隔壁に隣接する両側壁に設けた上下方向のリブとを備え、収納されるライターは、隔壁と対向する壁面に接触され、上記各リブの先端に接触し、他の内壁面から浮かして保持されるようにしたため、ライター周りの空間は底部の穴と上部の開口部を通じて外気と連通されてライターを自然な状態で収容し、且つこれらのリブにより脱落することなく確実に保持される。
【００２６】
第９の考案では、第１ないし第８の考案の効果に加えて、本体ケースのライター収納部の側面には、孔付きのボスを備えるため、キーホルダー．チェーン．ストラップ等のアクセサリーを付けられ、携帯機能を高めることができる。
【００２７】
【考案の実施の形態】
以下、本考案の一実施形態を添付図面に基づいて説明する。
【００２８】
図１〜図６は、本考案を適用した携帯用灰皿の一例を示し、図１は携帯用灰皿の断面図、図２は本体ケースの正面図および上下左右の４面図、図３は本体ケースの断面図およびＡ−Ａ線による断面図、図４は灰皿部に挿入する保護金具の３面図、図５は灰皿キャップの正面図および上下左右の４面図、図６は灰皿キャップの断面図である。
【００２９】
図１において、本実施形態の携帯用灰皿は、灰皿部２およびライター収納部３を備える本体ケース１と、灰皿部２の上部に嵌め込んだ保護金具４と、灰皿部２の上部の開口部６を開閉するキャップ５とで構成している。
【００３０】
前記本体ケース１は、図２および図３に示すように、全体を合成樹脂を用いて、手前面および裏面を形成するよう対向する比較的大きい四辺形の側壁７Ａ、７Ｂ同士を一対の横壁７Ｃ、７Ｄおよび横壁７Ｃ、７Ｄ間の隔壁７Ｅと底壁７Ｆとにより連結した全体として薄型の箱状に形成される。隔壁７Ｅを挟んで上方に開放した二つの空間は、一方をライター収納部３に、他方を灰皿部２にそれぞれ構成している。灰皿部２の底壁７Ｆと横壁７Ｃとは、正面および裏面から見て円弧状部分で連結され、また、ライター収納部３を構成する横壁７Ｄはライターの外形に沿うよう上方および下方から見て円弧状をなして側壁７Ａ、７Ｂ同士を連結している。ライター収納部３を構成する底壁７は、灰皿部２側に寄った部分でライター収納部３側へ窪ませて形成した凹部８（指かかり部）を形成している。
【００３１】
ライター収納部３には、収納するライター９を底部から保持する底リブ１０が側壁７Ａ、７Ｂを連結し且つ底壁７Ｆから隆起させて形成している。また、灰皿部２寄りの両側壁７Ａ、７Ｂおよび隔壁７Ｅには、ライター９の側部を支持する上下方向リブ１１、１２をそれぞれ隆起させて形成し、ライター９は、底リブ１０により底面が支持された状態で、円弧状横壁７Ｄの内面と上記上下方向リブ１１、１２とによりその側面が夫々線支持されてライター９周りに外気と連通する隙間を設けて収納される。ライター収納部３の開口は、収納したライター９の火口カバー９Ａの上部および着火レバー９Ｂが露出するように、側壁７Ａ、７Ｂおよび円弧状横壁７Ｄを切欠いて形成しており、ライター収納部３に収納されたライター９は、前記底リブ１０、円弧状横壁７Ｄおよび上下方向リブ１１，１２により本体ケース１と一体となる。
【００３２】
このため、ライター収納部３に収納したライター９は本体ケース１から脱落しにくくできる。また、本体ケース１への収納状態のままで切欠きにより露出したライター９の着火レバー９Ｂを操作してその火口部に着火させることができ、その着火レバー９Ｂを操作する際に、本体ケース１底部の指かかり部８に右手の中指若しくは薬指の指腹により支えてすべり止め機能を発揮させ、ライター９の着火レバー９Ｂを親指で着火操作する際の操作性を良くする。
【００３３】
ライター９の頭部の火口カバー９Ａは、隔壁７Ｅに接近して位置するも、隔壁７Ｅに設けた上下リブ１２により隔壁７Ｅに接触することがなく一定の隙間を持ち、しかも、側壁７Ａ、７Ｂに設けた上下リブ１１により側壁７Ａ、７Ｂにも接触することがなく一定の隙間を持つよう構成している。従って、ライター９を自然な状態で収容でき、且つこれらのリブ１１，１２により脱落することなく確実に保持される。しかも、着火中に高温となる火口カバー９Ａに本体ケース１を構成する合成樹脂が破損されることを防止できる。
【００３４】
ライター収納部３の指かかり部８を形成する底壁７Ｆには、指かかり部８の略中央にライター収容部３に開口する小穴１３が形成され、この小穴１３を通してもライター９周りの隙間は外気と連通され、この構成によってもライター９を自然な状態で収容する。また、この小穴１３を通してケース本体１の底部から棒等の適当なものにより収納中のライター９の底部を押すことにより、本体ケース１から一体となっているライター９を分離させて、ライターの火口カバー９Ａおよび着火レバー９Ｂを痛めることなく、取出すことができる。従って、使用済みのライター９と未使用のライター９とを交換することができる。
【００３５】
前記灰皿部２は、側壁７Ａ、７Ｂ同士を連結して複数（図では２枚）の隔壁リブ１４を等間隔に配置して備え、各隔壁リブ１４は底壁７Ｆと連結され且つ灰皿部２の空間の上下方向の中途部まで隆起させて構成している。この隔壁リブ１４は側壁７Ａ、７Ｂおよび底壁７Ｆと一体となって本体ケース１の強度を確保している。隔壁リブ１４同士の間、隔壁リブ１４と隔壁７Ｅおよび横壁７Ｃとの間には、柱状空間１５が夫々形成され、この柱状空間１５には喫煙後のタバコの先端を挿入可能としている。この柱状空間１５はタバコの大きさより若干大きめに形成され、柱状空間１５に挿入された喫煙後のタバコとの隙間を小さくして、柱状空間１５に落とされた灰がこの隙間を通して柱状空間１５から漏れ出ることを抑制する。
【００３６】
隔壁リブ１４の上端と灰皿部２の開口６との間には、柱状空間１５の上端を開口させて大きい灰落とし空間１６に形成され、この灰落とし空間１６は、喫煙中のタバコの先端が入り、タバコの灰を柱状空間１５に落とせるスペースに確保されている。灰落とし空間１６に面する隔壁７Ｅおよび横壁７Ｃの側壁７Ａ、７Ｂと接続する部分には上下方向に延びる幅の小さい溝１７が形成され、この溝１７は保護金具４を灰落とし空間１６に挿入する際の保護金具４の端部を案内し、保護金具４を灰落とし空間１６内に保持する。
【００３７】
保護金具４は、図４に示すように、例えば、０．２ｍｍ程度の薄板の金属板を打ち抜き・折り曲げて形成されて灰落とし空間１６の耐熱性を高め且つスペースを妨げないものとしている。即ち、保護金具４は、灰落とし空間１６の側壁７Ａ、７Ｂに接触させて配置され、前記溝１７に端部が保持される対向した金属板４Ａと、灰落とし空間１６に露出する隔壁リブ１４上端に接触する隔壁リブ１４と略同一の幅を備え、両金属板４Ａと端部が連結したリブ保護部４Ｂとを備える。一対の金属板４Ａは灰落とし空間１６に露出する側壁７Ａ、７Ｂを灰落とし空間１６に挿入される喫煙中のタバコの先端から隔離して側壁７Ａ、７Ｂの耐熱性を向上させる。金属板４Ａの上端は、灰落とし空間１６を形成する側壁７Ａ、７Ｂよりも若干（例えば、０．３ｍｍ〜１ｍｍ程度、望ましくは、０．６ｍｍ）はみ出すよう形成され、灰落とし空間１６に挿入される喫煙中のタバコの先端が側壁７Ａ、７Ｂの上端に直接接触することを防止して、この構成によっても灰落とし空間１６の口元での側壁７Ａ、７Ｂの耐熱性を向上させ、喫煙中のタバコの灰落とし空間１６内への誘導性を高めている。リブ保護部４Ｂは、灰落とし空間１６に挿入される喫煙中のタバコの先端が隔壁リブ１４の上端に直接接触することを防止して隔壁リブ１４の耐熱性を向上させる。保護金具４は、また、灰落とし空間１６に挿入された状態で前記溝１７の壁に係合する爪４Ｃを備え、爪４Ｃにより保護金具４の灰落とし空間１６からの抜け出しを防止している。
【００３８】
前記灰落とし空間１６の開口部６である灰皿部２の口元は、隔壁７Ｅから一段低く形成され、正面から見て隔壁７Ｅと口元６とは略Ｌ字状をなしている。そして、口元６は、後述するキャップ５の開口部分が外側に重なり合うように、その両側壁７Ａ、７Ｂを外側から段１８を経由して薄く形成された横段付き部１９とされ、この横段付き部１９は口元６から隔壁７Ｅに設けた幅狭の縦段付き部２０に円弧状の段付き部２１を介して連結されている。隔壁７Ｅに形成された縦段付き部２０は、隔壁７Ｅ上端で小さい段付き切欠き部２２まで連なっている。横段付き部１９の横壁７Ｃと重なる部分には、横段付き部１９から側壁７Ａ、７Ｂ外方へ突出する突起２３が形成され、この突起２３はキャップ５のヒンジを形成する。また、横段付き部１９のやや隔壁７Ｅ側へ寄った部分には貫通穴２４が形成され、キャップ５の内面に設けた突起３３が係合することによりキャップ５を閉状態に保持するロック部を形成する。また、横壁７Ｃで形成する口元６も、その上端部付近のみが、外側から円弧状部分を経由して薄く形成された段付き部２５とされ、同様にキャップ５が外側から重なり合うようにされる。
【００３９】
前記キャップ５は、図５および図６に示すように、上面の底板部２６の周囲から下方に起立されて本体ケース１の側壁７Ａ、７Ｂと連なる側壁５Ａ、５Ｂ、本体ケース１の横壁７Ｃと連なる横壁５Ｃ、本体ケース１の隔壁７Ｅと対面する縦壁５Ｅにより枠状となったフレーム部２７を備える。枠状となったフレーム部２７は、底板部２６と一体となって、キャップ５単体でも変形しにくい強度の高い構造としている。そして、フレーム部２７の開放側には、側壁５Ａ、５Ｂを内方側から段付き２８を介して薄肉化した段付き部２９を側壁５Ａ、５Ｂ部分から縦壁５Ｅ部分にかけて突出させて備え、段付き部２９の側壁５Ａ、５Ｂ部分は比較的幅広となり、縦壁５Ｅ部分は比較的幅狭であり、両者間の段付き部２９は徐々に幅が狭くなる円弧状に形成されている。縦壁５Ｅ部分に形成された段付き部２９同士は底板２６から突出させた段付き部３０で接続される。フレーム部２７の横壁５Ｃは外面側が下方に突出３１されている。横壁５Ｃ部分に近接した段付き部２９にヒンジ穴３２が設けられ、縦壁５Ｅ部分に寄った段付き部２９の内面には互いに接近方向に突出するロック突起３３が設けられる。両側壁５Ａ、５Ｂの外方には、半面ボス３４が複数個（図では８箇所）突出させて設けている。
【００４０】
このキャップ５は、ヒンジ穴３２を本体ケース１のヒンジ突起２３に係合させることにより、灰落とし空間１６の開口部６を開閉可能とし、開いた状態ではキャップ５の横壁５Ｃからの突起３１が本体ケース１の横壁７Ｃ外面に接触してストッパとなることでそれ以上の開放を阻止し、キャップ５を灰落とし空間１６の開口部６の端に起立させた状態となる。この状態では、本体ケース１の隔壁７Ｅとキャップ５とが灰落とし空間１６の開口部６の両端に起立するため、喫煙中のタバコの先端を灰落とし空間１６に案内するよう機能する。
【００４１】
また、キャップ５を閉じた場合、キャップ５の側壁５Ａ、５Ｂの外面は本体ケース１の側壁７Ａ、７Ｂの外面に連なり、キャップ５の横壁５Ｃの外面は本体ケース１の横壁７Ｃの外面に連なり、キャップ５の上面は本体ケース１の隔壁７Ｅ上面に連なる。また、本体ケース１の隔壁７Ｅにキャップ５の縦壁５Ｅ部が対面し、本体ケース１の横壁７Ｃの段付き部２５とキャップ５の横壁５Ｃの突起３１とが当接し、且つキャップ５の底板２６から突出させた段付き部３０が本体ケース１の隔壁７Ｅの上端に形成した切欠き２２に係合する。そして、キャップ５の段付き部２９が本体ケースの横段付き部１９、円弧状段付き部２１および縦段付き部２０の外側から重なり合い、キャップ５の段付き部２９の基部にある段付き２８が本体ケース１の段付き部１９〜２１の先端に当接し、且つキャップ５の段付き部２９の先端が本体ケース１の段付き１８に当接する。即ち、二箇所の当接部（段付き１８と段付き部２９先端、および、段付き部１９〜２１先端と段付き２８）と薄く形成された段付き部（１９〜２１と２９）同士の重なり合いとがクランク状をなして灰落とし空間１６の密閉性を高め、外気と確実に遮断でき、灰皿部２から灰の外部への洩れ出しを遮断し、内部に収蔵された喫煙後のタバコの火が残っていても確実に消火できる。そして、ロック穴２４とロック突起３３とが係合して閉じた状態が維持される。キャップ５の側壁５Ａ、５Ｂに形成された複数の突起３４は、キャップ５を開放する時に手が滑らぬようにする滑り止めの機能を発揮する。
【００４２】
本体ケース１のライター収容部３を形成する横壁７Ｄの外面には、孔付きのボス７Ｇが形成され、ボス７Ｇにキーホルダー、チェーン、若しくは、ストラップ等のアクセサリーを付けることができ、携帯の機能を高めるようにしている。
【００４３】
なお、本体ケース１およびキャップ５の外回りの角は、携帯時に引っ掛からないように曲面で構成することが望ましい。
【図面の簡単な説明】
【図１】本考案の一実施形態を示す携帯用灰皿の断面図。
【図２】同じく本体ケースの正面図および上下左右の４面図。
【図３】同じく本体ケースの断面図およびＡ−Ａ線による断面図。
【図４】同じく灰皿部に挿入する保護金具の３面図。
【図５】同じく灰皿キャップの正面図および上下左右の４面図。
【図６】同じく灰皿キャップの断面図。
【符号の説明】
１　本体ケース
２　灰皿部
３　ライター収納部
４　保護金具
５　キャップ
６　開口部、口元
７Ａ、７Ｂ　側壁
７Ｃ、７Ｄ　横壁
７Ｅ　隔壁
７Ｆ　底壁
７Ｇ　ボス
８　凹部、指かかり部
９　ライター
１０、１１，１２　リブ
１３　小穴
１４　隔壁リブ
１５　柱状空間
１６　灰落とし空間
１７　溝
１８、２８　段付き
１９〜２１、２５、２９、３０　段付き部
２２　切欠き部
２３　ボス（ヒンジ）
２４　ロック穴
２６　底板部
２７　フレーム部
３１　突起
３２　ヒンジ穴
３３　ロック突起
３４　半面ボス
【図１】
0003097168.tif 000003
【図２】
0003097168.tif 000004
【図３】
0003097168.tif 000005
【図４】
0003097168.tif 000006
【図５】
0003097168.tif 000007
【図６】
0003097168.tif 000008